(57)【要約】【課題】温度変化に対しても常に一定のクリーニング条件を保つことによって、安定したクリーニング性能を発揮させる電子写真装置におけるクリーニング装置を提供する。【解決手段】電子写真装置においてクリーニングブレード方式を用いるクリーニング装置において、クリーニングブレード５を保持するクリーニングブレード保持部材６と、このクリーニングブレード保持部材６を、少なくとも１つの弾性部材１１を用いて前記クリーニング装置に固定する。【選択図】        図４
2005043583.tif 000002
【特許請求の範囲】
【請求項１】
電子写真装置に装備されて被クリーニング部材をクリーニングブレードによりクリーニングするクリーニング装置において、クリーニングブレードを保持するクリーニングブレード保持部材を少なくとも１つの弾性部材を用いて前記クリーニング装置に固定することを特徴とする電子写真装置におけるクリーニング装置。
【請求項２】
前記弾性部材と前記クリーニングブレード保持部材の接触面、または前記クリーニングブレード保持部材と筐体の接触面に摺動性部材を介在させたことを特徴とする請求項１記載の電子写真装置におけるクリーニング装置。
【請求項３】
前記弾性部材と前記クリーニングブレード保持部材の間、または前記クリーニングブレード保持部材と前記筐体の間に摺動性部材を挿入したことを特徴とする請求項１または２記載の電子写真装置におけるクリーニング装置。
【発明の詳細な説明】
【０００１】
【発明の属する技術分野】
本発明は、電子写真装置における感光体のクリーニング機構、転写ベルトのクリーニング機構に使用する固定式のクリーニングブレードを備えたクリーニング装置に関するものである。
【０００２】
【従来の技術】
従来、複写機、プリンタ、ファクシミリ装置等の電子写真装置では、感光体や転写ベルト等の被クリーニング部材に付着したトナー、その他の異物を除去するためにブレード式のクリーニング装置が装備される。クリーニング装置は、クリーニングブレードの支持体を筐体に固定しブレードの弾性変形の反力で被クリーニング部材に当接する固定式と、回転支点を有してばねで加圧する方式とに区別されている。
【０００３】
【発明が解決しようとする課題】
図４は電子写真方式を用いた作像機能を有する一般的なクリーニング装置を示す断面図である。感光体ドラム１は帯電ローラ２によって所定の電位に均一に帯電された状態で、クリーニング装置外の露光手段３によって静電潜像が形成される。
その後、現像手段４によって現像剤を付着させることにより静電潜像が顕像化され、図示しない転写手段によって顕像化された画像を被転写材に転写する。
転写後に感光体ドラム１上に残った現像剤をクリーニングブレード５によって除去し、感光体ドラム１上の残留電荷を除電光９によって均一にして再び帯電ローラ２によって帯電するプロセスを繰り返す。
クリーニングブレード５は、保持部材６に接着され且つネジ７によってクリーニング装置の筐体８に固定されている。ネジ止めで固定することによってクリーニングブレードの保持部材６の姿勢は一定に保たれ、クリーニングブレード５は感光体ドラム１に所定の角度で、適切な食い込み量をもって当接する。
図５は図４のクリーニングブレードのネジ止め部を示す長手方向断面図である。クリーニングブレード５の保持部材６に設けられた位置決め穴６ａ、６ｂと筐体８に設けられた突起８ａ、８ｂによって位置決めされ、ネジ７によって固定されている。
【０００４】
図６は図５のクリーニングブレードのネジ止め部を、ネジを締め付ける方向から見た概略図である。多くの場合、クリーニングブレード５の保持部材６は金属から形成され、ユニット筐体８は樹脂製が用いられる。
ところで、金属と樹脂の温度変化による線膨張係数は、例えば、鉄：１．２×１０−５／Ｋ、ＡＢＳ樹脂：８×１０−５／Ｋの例のように大きく異なっている。
前記構成のユニットに大きな温度変化を想定したときこの線膨張係数の違いがどのような寸法変化になるかをネジ止め部の間で計算すると（温度変化：２０Ｋ、ネジ止め部間隔：３００ｍｍと仮定）、鉄：１．２×１０−５×２０×３００＝０．０７２ｍｍ、ＡＢＳ樹脂：８×１０−５×２０×３００＝０．４８ｍｍのような差が生じることになるが実際にはネジで固定されているため部品の変形が起きる。
このことによってクリーニングブレード５が感光体ドラム１に当接するさいの角度、食い込み量に僅かな狂いが生じることになり、クリーニング不良を起こすことがある。
近年、高画質化の目的でトナーの小粒径化が進みクリーニング条件の僅かな狂いで、クリーニング不良に至る可能性が高まっており、このような現象は極力なくすことが望ましい。
そこで本発明の目的は、上記の問題点を解決するために、温度変化に対しても常に一定のクリーニング条件を保つことによって、安定したクリーニング性能を発揮させる電子写真装置におけるクリーニング装置を提供することにある。
【０００５】
【課題を解決するための手段】
前記の課題を解決するために、請求項１記載の発明では、電子写真装置においてクリーニングブレード方式を用いるクリーニング装置において、クリーニングブレードを保持するクリーニングブレード保持部材と、このクリーニングブレード保持部材を、少なくとも１つの弾性部材を用いて前記クリーニング装置に固定する電子写真装置におけるクリーニング装置を最も主要な特徴とする。
請求項２記載の発明では、前記弾性部材と前記クリーニングブレード保持部材の接触面、または前記クリーニングブレード保持部材と筐体の接触面に摺動性部材を介在させた請求項１記載の電子写真装置におけるクリーニング装置を主要な特徴とする。
請求項３記載の発明では、前記弾性部材と前記クリーニングブレード保持部材の間、または前記クリーニングブレード保持部材と前記筐体の間に摺動性部材を挿入した請求項１または２記載の電子写真装置におけるクリーニング装置を主要な特徴とする。
【０００６】
【発明の実施の形態】
以下、図面により本発明の実施の形態を詳細に説明する。なお、クリーニングブレード近傍の全体的な構成は従来例と同じであるので説明を省略するが、必要ならば適宜従来例を示す図４を参照するものとする。
図１は本発明による電子写真装置におけるクリーニング装置のクリーニングブレード保持部材の第１の実施の形態を、従来例を示す図５の右側部分と対応する状態で示す部分断面図である。
本発明はクリーニングブレード５の保持部材６が筐体８に対してネジなどの手段で固定されているクリーニング装置において、クリーニングブレード取り付け条件の安定化に寄与するものである。
図１において、段付きネジ１０はクリーニング保持部材６を直接締め付けることはせず、板ばね部材（弾性部材）１１を介して弾性的に加圧保持している。温度変化によってクリーニングブレード保持部材６とクリーニング装置の筐体８との間に寸法差が生じる場合がある。
そのさいクリーニングブレード保持部材６と板ばね部材１１との間、クリーニングブレード保持部材６とクリーニング装置の筐体８との間でスベリを起こしひずみを吸収する。
この板ばね部材１１は弾発力が弱すぎるとクリーニングブレード５が感光体ドラムから受ける反力に負けて姿勢を保つことができないので或る程度の強度が必要であるが、強すぎると必要なスベリを起こしにくくするため、適当な強度を設定する必要が有る。
【０００７】
図２は本発明による電子写真装置におけるクリーニング装置のクリーニングブレード保持部材の第２の実施の形態を示す部分断面図である。この第２の実施の形態ではクリーニングブレード保持部材６とクリーニング装置の筐体８の間の摩擦係数を下げるためにクリーニング装置の筐体８の表面に摺動性の良い材質からなる摺動性部材（低摩擦係数層）１３をコーティング、その他の方法により介在させている。
この場合に、摺動性部材を構成する摺動性の良い材質としてはテフロン（登録商標）樹脂が適しているが、高分子ポリエチレンなどをシート状に加工した粘着テープなどを用いても良い。前記コーティングはクリーニングブレード保持部材６の表面に施しても良い。
板ばね部材１１とクリーニングブレード保持部材６の間にも同様に摺動性の良い摺動性部材１２をコーティング等により配置している。この実施の形態ではクリーニングブレード保持部材６の表面にコーティングしている例を示したが、どちらにコーティングしても良い。
図３は図２のクリーニングブレード保持部材の第２の実施の形態の変形例を示す部分断面図である。この変形例ではクリーニングブレード保持部材６とクリーニング装置の筐体８の間の摩擦係数を下げるために摺動性の良い材質からなるワッシャ（摺動性部材）１５を挿入している。摺動性の良いワッシャの材質としてはナイロン、高分子ポリエチレンなどが適している。
また、板ばね部材１１とクリーニングブレード保持部材６の間にも同様に摺動性の良い材質からなるワッシャ１４を挿入している。
【０００８】
【発明の効果】
以上説明したように、請求項１によれば、板バネ部材の押圧でクリーニングブレード保持部材を固定しているので温度変化による変形量の違いをスベリにより吸収してクリーニングブレードの当接条件を一定に保つことができる。
請求項２によれば、スベリを起こす面に摺動性が良い部材がコーティングまたは挿入されているため、板ばね部材による押圧が強くてもスベリを起こすことができるためクリーニングブレードの当接圧がより強い条件でも対応することができる。
請求項３によれば、スベリを起こす面に摺動性が良い材質からなるワッシャ挿入されているため板ばね部材による押圧が強くてもスベリを起こすことができるためクリーニングブレードの当接圧がより強い条件でも対応することができる。
【図面の簡単な説明】
【図１】本発明による電子写真装置におけるクリーニング装置のクリーニングブレード保持部材の第１の実施の形態を、従来例を示す図５の右側部分と対応する状態で示す部分断面図。
【図２】本発明による電子写真装置におけるクリーニング装置のクリーニングブレード保持部材の第２の実施の形態を示す部分断面図。
【図３】図２のクリーニングブレード保持部材の第２の実施の形態の変形例を示す部分断面図。
【図４】電子写真方式を用いた作像機能を有する一般的なクリーニングを示す断面図。
【図５】図４のクリーニングブレードのネジ止め部を示す長手方向断面図。
【図６】図５のクリーニングブレードのネジ止め部を、ネジを締め付ける方向から見た概略図。
【符号の説明】
５  クリーニングブレード
６  クリーニングブレード保持部材
８  筐体
１０  段付きネジ
１１  弾性部材（板ばね部材）
１２  部材（コーティング）
１３  部材（コーティング）
１４  部材（ワッシャ）
１５  部材（ワッシャ）
【図１】
2005043583.tif 000003
【図２】
2005043583.tif 000004
【図３】
2005043583.tif 000005
【図４】
2005043583.tif 000006
【図５】
2005043583.tif 000007
【図６】
2005043583.tif 000008